(57)【要約】【課題】流出する水による洗浄効果を向上させることができるノズルを提供する。【解決手段】水の流出口に接続されて、前記水の流出口からの水が流入する流入部１１と、前記流入部から流入した水の流れを絞って水の流速を増加させる絞り部１２と、前記絞り部への水の流入を断続的に遮断する断続的遮断手段１４と、を具備し、前記断続的遮断手段にて前記絞り部への水の流入を断続的に遮断することにより、前記水の流量を断続的に変化させて脈動するような水を流出するノズルであって、前記断続的遮断手段は、回転することによって、前記絞り部の上流側の開口の閉鎖と開放とを順次おこなって、前記水の流入を断続的に遮断する回転体４０により構成され、前記流入部からの水が螺旋状の水流となるように構成された回転体回転手段１７を具備し、前記回転体回転手段による螺旋状の水流によって、前記回転体が回転するように構成した。【選択図】図１
2015134357.tif 000002
【特許請求の範囲】
【請求項１】
水の流出口に接続されて、前記水の流出口からの水が流入する流入部と、前記流入部から流入した水の流れを絞って水の流速を増加させる絞り部と、前記絞り部への水の流入を断続的に遮断する断続的遮断手段と、を具備し、
前記断続的遮断手段にて前記絞り部への水の流入を断続的に遮断することにより、前記水の流量を断続的に変化させて脈動するような水を流出するノズルであって、
前記断続的遮断手段は、回転することによって、前記絞り部の上流側の開口の閉鎖と開放とを順次おこなって、前記水の流入を断続的に遮断する回転体により構成され、
前記流入部からの水が螺旋状の水流となるように構成された回転体回転手段を具備し、
前記回転体回転手段による螺旋状の水流によって、前記回転体が回転するように構成した
ことを特徴とするノズル。
【請求項２】
前記絞り部は、複数個の絞り孔で構成されており、前記回転体よって前記複数個の絞り孔のうち少なくとも一つの絞り孔の開口の閉鎖と開放とを順次おこなう構成としたことを特徴とする請求項１に記載のノズル。
【発明の詳細な説明】
【技術分野】
【０００１】
本発明は、ノズルの技術に関する。
【背景技術】
【０００２】
従来、水の流出口からの水が流入する流入部と、流入した水の流れを絞って水の流速を増加させる絞り部と、を具備するノズルの技術は公知となっている（特許文献１参照）。
【先行技術文献】
【特許文献】
【０００３】
【特許文献１】特開昭５２−９４５１３号公報
【発明の概要】
【発明が解決しようとする課題】
【０００４】
このようなノズルは、米、野菜、金属製部材、樹脂製部材、建造物等の洗浄対象物に直接噴射することや、その水流内に洗浄対象物を入れること等によって、洗浄対象物を洗浄する。
しかしながら、このようなノズルでは、これから流出する水によって洗浄対象物を十分に洗浄できない場合がある。
【０００５】
本発明は、以上の如き状況に鑑みてなされたものであり、流出する水による洗浄効果を向上させることができるノズルを提供することを課題とする。
【課題を解決するための手段】
【０００６】
本発明の解決しようとする課題は以上の如くであり、次にこの課題を解決するための手段を説明する。
【０００７】
即ち、請求項１においては、水の流出口に接続されて、前記水の流出口からの水が流入する流入部と、前記流入部から流入した水の流れを絞って水の流速を増加させる絞り部と、前記絞り部への水の流入を断続的に遮断する断続的遮断手段と、を具備し、前記断続的遮断手段にて前記絞り部への水の流入を断続的に遮断することにより、前記水の流量を断続的に変化させて脈動するような水を流出するノズルであって、前記断続的遮断手段は、回転することによって、前記絞り部の上流側の開口の閉鎖と開放とを順次おこなって、前記水の流入を断続的に遮断する回転体により構成され、前記流入部からの水が螺旋状の水流となるように構成された回転体回転手段を具備し、前記回転体回転手段による螺旋状の水流によって、前記回転体が回転するように構成したものである。
【０００８】
請求項２においては、前記絞り部は、複数個の絞り孔で構成されており、前記回転体よって前記複数個の絞り孔のうち少なくとも一つの絞り孔の開口の閉鎖と開放とを順次おこなう構成としたものである。
【発明の効果】
【０００９】
本発明の効果として、以下に示すような効果を奏する。
【００１０】
即ち、本発明によれば、ノズルから流出する水による洗浄効果を向上させることができる。
【図面の簡単な説明】
【００１１】
【図１】第一実施形態に係るノズルを分解した状態を示した正面図。
【図２】同じく側面断面図。
【図３】（ａ）は第一実施形態に係るノズルの接続部材についてのＡ−Ａ断面図、（ｂ）は第一実施形態に係るノズルの本体部材の拡大平面図。
【図４】第一実施形態に係るノズルの側面断面図。
【図５】同じく側面断面図。
【図６】第一実施形態に係るノズルの本体部材の拡大平面図。
【図７】第一実施形態に係るノズルの側面断面図。
【図８】同じく拡大側面断面図。
【図９】（ａ）は同じく拡大側面断面図、（ｂ）は同じく拡大側面断面図。
【図１０】第二実施形態に係るノズルを分解した状態を示した正面図。
【図１１】同じく側面断面図。
【図１２】第二実施形態に係るノズルの本体部材の拡大平面図。
【図１３】第二実施形態に係るノズルの側面断面図。
【発明を実施するための形態】
【００１２】
次に、第一実施形態に係るノズル１Ａについて、図１から図９を用いて説明する。なお図中において示す矢印Ａは、ノズル１Ａ内に流入する水の流入方向を示すものとして説明する。
【００１３】
ノズル１Ａは、水の流出口からノズル１Ａに流入した水に気泡を混入させて気泡混入水とし、当該気泡混入水の流出する流量を断続的に変化させて脈動するような気泡混入水として流出するものである。また、ノズル１Ａは、図１乃至図４に示すように、全体的に略筒状に形成され、流入部１１と、絞り部１２と、空気導入部１３と、断続的遮断手段１４と、を具備する。
【００１４】
ノズル１Ａの流入部１１は、水の流出口に接続されて、当該水の流出口からの水がノズル１Ａ内に流入する部分である。ここで、水の流出口は、蛇口に接続されたホースにおける水の吐出口部２であるものとして説明する。
【００１５】
ノズル１Ａの絞り部１２は、流入部１１からノズル１Ａ内に流入した水の流れを絞って水の流速を増加させる部分である。ノズル１Ａの絞り部１２は、流入部１１よりも下流側に配置される。ノズル１Ａは、絞り部１２から下流側へ流出する水の流速が、絞り部１２の上流側よりも増加するように構成される。
【００１６】
ノズル１Ａの空気導入部１３は、絞り部１２から下流側へ流出する水に空気が吸引されて気泡が混入され、これが気泡混入水となるように、ノズル１Ａ内に空気を導入する部分である。ノズル１Ａの空気導入部１３は、ノズル１Ａの外部から、ノズル１Ａにおける絞り部１２の下流側部分近傍に空気を導入する。ノズル１Ａの空気導入部１３における空気の出口の開口は、ノズル１Ａ内における絞り部１２の下流側部分近傍に形成される。
【００１７】
ノズル１Ａの断続的遮断手段１４は、絞り部１２の閉鎖と開放とを、絞り部１２の上流側において順次おこない、絞り部１２への水の流入を断続的に遮断する手段である。ノズル１Ａでは、断続的遮断手段１４にて絞り部１２への水の流入を断続的に遮断することにより、絞り部１２から下流側へ流出する水の流量が断続的に変化する。そして、ノズル１Ａでは、絞り部１２から下流側へ流出する水の流量が断続的に変化することにより、ノズル１Ａの流出口１５から流出する空気混入水の流量も断続的に変化することなる。このようにして、ノズル１Ａは、その流出口１５から脈動するような気泡混入水を流出する。
【００１８】
このように構成されたノズル１Ａでは、例えば、その流出口１５から流出する気泡混合水を洗浄対象物（米、野菜、金属製部材、樹脂製部材、建造物等）に直接噴射したり、その流出口１５を水中に配置して当該流出口１５から流出する気泡混合水で作出される水流内に洗浄対象物を入れたりして、洗浄対象物の表面に脈動するような気泡混合水を接触させる。そして、前記脈動するような気泡混合水に接触した洗浄対象物は、気泡混入水内の気泡による洗浄効果に加えて、脈動するような気泡混合水の振動によっても洗浄されることとなる。したがって、ノズル１Ａによれば、これから流出する気泡混入水による洗浄効果を向上させることができる。
【００１９】
次に、ノズル１Ａの具体的構成について説明する。ノズル１Ａは、図１乃至図４に示すように、主に、接続部材２０、本体部材３０、および、回転体４０等で構成される。また、ノズル１Ａは、回転体配置部１６と、回転体回転手段１７と、を具備する。
【００２０】
ノズル１Ａの接続部材２０は略有底筒状に形成され、その上流側端が開口し、下流側端に底部２０ａを有している。
【００２１】
ノズル１Ａの接続部材２０における上流側部２０ｂは、ホースの吐出口部２に接続される部分であって、ホースの吐出口部２に嵌挿可能とされており、ノズル１Ａの流入部１１として構成される。なお、ノズル１Ａの接続部材２０における上流側部２０ｂとホースの吐出口部２との接続は、例えば、ホースの吐出口部２をノズル１Ａの接続部材２０における上流側部２０ｂに嵌挿し、ホースの吐出口部２における上流側部２０ｂに嵌挿された部分の外周に筒状のホース留め部材３を嵌装することによっておこなう。さらに、ホース留め部材３の外側には、ホース留めカバー４を配置してもよい。ノズル１Ａの接続部材２０における下流側部２０ｃは、本体部材３０の上流側端の開口から本体部材３０内に嵌挿される。ノズル１Ａの接続部材２０における上流側部２０ｂと下流側部２０ｃとの間には、フランジ２１が形成される。ノズル１Ａの接続部材２０におけるフランジ２１は、側方に突出するように形成される。
【００２２】
ノズル１Ａの接続部材２０は、二つの貫通孔２２・２２を有する。ノズル１Ａの接続部材２０における貫通孔２２・２２は、１８０度位相をずらすようにして、その下流側部２０ｃにそれぞれ形成される。ノズル１Ａの接続部材２０における貫通孔２２・２２は、接続部材２０における下流側部２０ｃの外周面から内部の下端部に向かって半径方向に貫通するように、それぞれ形成される。
【００２３】
ノズル１Ａの接続部材２０は、二つの切欠き２３・２３を有する。ノズル１Ａの接続部材２０における切欠き２３・２３は、１８０度位相をずらすようにしてそれぞれ形成される。ノズル１Ａの接続部材２０における切欠き２３・２３は、各貫通孔２２・２２にそれぞれ連通するとともに、その底部２０ａと下流側部２０ｃとに亘って接続部材２０における底部２０ａの下流側の面と下流側部２０ｃの外周面とが切欠かれるようにして、それぞれ形成される。ノズル１Ａの接続部材２０における切欠き２３・２３は、貫通孔２２・２２の開口から一方の周方向に向かうように（反時計回り）、それぞれ形成される。
【００２４】
ノズル１Ａの接続部材２０は、回転体４０の一部が配置される溝２４を有する。ノズル１Ａの接続部材２０における溝２４は、その底部２０ａの下流側の面における周縁部を環状に切欠くとともに、切欠き２３・２３と連通するようにして形成される。
【００２５】
ノズル１Ａの本体部材３０は、略有底筒状に形成される。ノズル１Ａの本体部材３０は、その上流側端および下流側端がそれぞれ開口し、そのやや下流側寄りの内部に上流側と下流側とを遮断するように底部３０ａが配置されたような形状に形成される。ノズル１Ａの本体部材３０は、その底部３０ａより上流側の部分（以下「上流側部３０ｂ」という）の側部が底部３０ａより下流側の部分（以下「下流側部３０ｃ」という）の側部に比べて肉厚状に形成されて、構成される。ノズル１Ａの本体部材３０は、その上流側部３０ｂの内径が接続部材２０の下流側部２０ｃの外形と略同一に形成されて、その上流側部３０ｂ内に接続部材２０の下流側部２０ｃを嵌挿可能に構成される。
【００２６】
ノズル１Ａの本体部材３０における底部３０ａの下流側の面は、その縁部（底部３０ａの下流側の面と側部の内側の面との境界部分）が下流側にいくに従って細くなるように傾斜して形成される。ノズル１Ａの本体部材３０における底部３０ａの下流側の面は、その中央部（前記切欠かれた縁部のより中央側の部分）が水の流入方向に対して直交するような面で構成される。
【００２７】
ノズル１Ａの本体部材３０は、回転体４０の一部が配置される凹部３１を有する。ノズル１Ａの本体部材３０における凹部３１は、底部３０ａの上流側の面における中央部に形成される。ノズル１Ａの本体部材３０における凹部３１は、底部３０ａの上流側の面が略半球状に凹むように、形成される。
【００２８】
ノズル１Ａの本体部材３０は、絞り孔３２を有する。ノズル１Ａの本体部材３０における絞り孔３２は、ノズル１Ａ内に流入した水の流れを絞って水の流速を増加させるものであり、絞り部１２として構成される。ノズル１Ａの本体部材３０における絞り孔３２は、上流側部３０ｂ内と下流側部３０ｃ内とが連通するように、底部３０ａを貫通して形成される。ノズル１Ａの本体部材３０における絞り孔３２は、水の流入方向に対して平行に形成される。ノズル１Ａの本体部材３０における絞り孔３２の上流側の開口３２ａは、凹部３１内に形成される。また、ノズル１Ａの本体部材３０における絞り孔３２の上流側の開口３２ａは、本体部材３０の凹部３１（底部３０ａ）の中心から側部方向側にずれた位置に形成される。ノズル１Ａの本体部材３０における絞り孔３２の下流側の開口３２ｂは、本体部材３０における底部３０ａの下流側の面の中央部（底部３０ａにおける水の流入方向に対して直交するような面で構成される部分）に形成される。
【００２９】
ノズル１Ａの本体部材３０は、四つの貫通孔３３・３３・・・を有する。ノズル１Ａの本体部材３０における貫通孔３３・３３・・・は、周方向へ９０度ずつ位相をずらすようにして、上流側部３０ｂの側部にそれぞれ形成される。ノズル１Ａの本体部材３０における貫通孔３３・３３・・・は、水の流入方向に対して平行に、上流側部３０ｂの側部における上流側端から下流側部３０ｃ内に貫通するようにそれぞれ形成される。
【００３０】
ノズル１Ａの本体部材３０は、四つの切欠き３４・３４・・・を有する。ノズル１Ａの本体部材３０における切欠き３４・３４・・・は、周方向へ９０度ずつ位相をずらすようにして、上流側部３０ｂの側部における上流側端部にそれぞれ形成される。ノズル１Ａの本体部材３０における切欠き３４・３４・・・は、側部の上流側端部の外周面が切欠かれて貫通孔３３・３３・・・に至るように、それぞれ形成される。
【００３１】
ノズル１Ａでは、本体部材３０における貫通孔３３と切欠き３４とで構成される空間が、本体部材３０の下流側部３０ｃ内（絞り部１２の下流側部分の近傍におけるノズル１Ａ内）に空気を導入する部分であり、空気導入部１３として構成される。ノズル１Ａの本体部材３０における側部の切欠き３４による開口は、空気導入部１３における空気の入口の開口として構成される。ノズル１Ａの本体部材３０の貫通孔３３における下流側部３０ｃの開口は、空気導入部１３における空気の出口の開口として構成される。
【００３２】
そして、ノズル１Ａの本体部材３０における上流側部３０ｂ内に、本体部材３０の上流側端の開口から接続部材２０における下流側部２０ｃを嵌挿する。このとき、ノズル１Ａの本体部材３０における上流側端部が、接続部材２０におけるフランジ２１に当接するまで、本体部材３０における上流側部３０ｂ内に接続部材２０を嵌挿する。
【００３３】
このように、ノズル１Ａの本体部材３０における上流側部３０ｂ内に接続部材２０の下流側部２０ｃが嵌挿されることによって、本体部材３０における上流側部３０ｂ内の面（上流側部３０ｂの側部の内側の面、および、底部３０ａの上流側の面）と、接続部材２０における底部２０ａの下流側の面と、で形成される空間で、回転体配置部１６が構成される。なお、ノズル１Ａの本体部材３０における上流側部３０ｂ内に接続部材２０の下流側部２０ｃが嵌挿された状態では、ノズル１Ａの回転体配置部１６と本体部材３０の下流側部３０ｃとは、その絞り孔３２を介して連通した状態となる。ノズル１Ａの回転体配置部１６は、回転体４０が配置される部分である。ノズル１Ａの回転体配置部１６は、流入部１１よりも下流側に配置されるとともに、絞り部１２よりも上流側に配置される。
【００３４】
またこのように、ノズル１Ａの本体部材３０における上流側部３０ｂ内に接続部材２０の下流側部２０ｃが嵌挿されることによって、接続部材２０の貫通孔２２とその切欠き２３とで形成される空間、および、本体部材３０における上流側部３０ｂ内の面（上流側部３０ｂの側部の内側の面）と接続部材２０の切欠き２３とで形成される空間で、回転体回転手段１７が構成される。ノズル１Ａの回転体回転手段１７とは、ノズル１Ａ内に流入した水の水流によって、回転体配置部１６に配置された回転体４０を回転させる手段である。ノズル１Ａでは、回転体回転手段１７によって回転体４０を水の流入方向を軸方向とした周方向に回転させる。ノズル１Ａの回転体回転手段１７は、流入部１１よりも下流側に配置されるとともに、回転体配置部１６の上流側に配置される。
【００３５】
ノズル１Ａの回転体４０は、回転することによって絞り孔３２（絞り部１２）の上流側の開口３２ａの閉鎖と開放とを順次おこなって、絞り孔３２（絞り部１２）への水の流入を断続的に遮断するものであり、断続的遮断手段１４として構成される。
【００３６】
ノズル１Ａの回転体４０は、棒状の部材の軸心方向中央部に円盤状の部材が互いの軸心を一致させて設けられたような形状に構成される。ノズル１Ａの回転体４０における棒状部分の両端部は、それぞれ半球状に構成される。
【００３７】
ノズル１Ａの回転体４０は、水の流入方向を軸方向とした周方向に回転可能なように、回転体配置部１６に配置される。このとき、ノズル１Ａの回転体４０は、その上部の棒状部分の一端部４０ａ側が他端部４０ｂよりも外周側を向くように軸心を傾斜させて、棒状部分の一端部４０ａを接続部材２０の溝２４内に位置させ、棒状部分の他端部４０ｂを本体部材３０の凹部３１に位置させた姿勢で、回転体配置部１６に配置される。このように配置されたノズル１Ａの回転体４０における回転中心は、本体部材３０の凹部３１（底部３０ａ）の中心となる。
【００３８】
ここで、前述のようにノズル１Ａの本体部材３０における上流側部３０ｂ内に接続部材２０の下流側部２０ｃが嵌挿された状態では、接続部材２０の切欠き２３・２３と回転体配置部１６とは、連通した状態となる。このため、ノズル１Ａの接続部材２０における上流部から流入した水は、その内部を通って貫通孔２２・２２および切欠き２３・２３（回転体回転手段１７）を通り、回転体配置部１６に流入することとなる。このように、ノズル１Ａ内部に流入した水が接続部材２０の貫通孔２２・２２と切欠き２３・２３と（回転体回転手段１７）を通ることにより、水の水流方向がノズル１Ａ内部への流入方向（接続部材２０の軸方向）から周方向（反時計周り）となり、回転体配置部１６に流入した水流は螺旋状の流水となる。
【００３９】
そして、ノズル１Ａの回転体配置部１６の回転体４０は、その円盤状部分にて前記螺旋状の水流を受けることによって周方向（反時計周り）に回転する。このとき、ノズル１Ａの回転体４０は、その棒状部分の一端部４０ａが接続部材２０の溝２４内を反時計回りに移動し、その棒状部分の他端部４０ｂが本体部材３０の凹部３１内においてその中心（回転体４０の回転中心）より外側の部分の一部に当接するようにして、その軸心の向きを変えながら回転する。さらにこのとき、ノズル１Ａの回転体４０は、これが回転して棒状部分の他端部４０ｂが絞り孔３２の上流側の開口３２ａ上に位置したときに、当該棒状部分の下端部で当該絞り孔３２の上流側の開口３２ａを閉鎖する。そして、ノズル１Ａの回転体４０は、これがさらに回転して、前記絞り孔３２の上流側の開口３２ａを通過したときに、当該絞り孔３２の上流側の開口３２ａを開放する。
【００４０】
このようにして、ノズル１Ａは、その回転体４０が回転することによって、その棒状部分の下端部で絞り孔３２（絞り部１２）の上流側の開口３２ａの閉鎖と開放とを順次おこなっていき、絞り孔３２（絞り部１２）への水の流入を断続的に遮断する。そしてこのようにして、ノズル１Ａは、本体部材３０における絞り孔３２（絞り部１２）の下流側の開口３２ｂから流出する水の流量を断続的に変化させ、ノズル１Ａの流出口１５から流出する空気混入水の流量も断続的に変化させて、その流出口１５から脈動するような気泡混入水を流出する。
以上のように、ノズル１Ａによれば、回転体回転手段１７によって水流を利用して回転体４０（断続的遮断手段１４）を回転させて本体部材３０の絞り孔３２（絞り部１２）への水の流入を断続的に遮断して、ノズル１Ａから流出する気泡混入水による洗浄効果を向上させることができるものを、簡易構造で実現することができる。
【００４１】
また、ノズル１Ａは、その本体部材３０における下流側部３０ｃ内に筒状に構成される筒部材５０の上流側端部を嵌挿して、筒部材５０を取付けた構成としてもよい。このようにノズル１Ａの本体部材３０に筒部材５０を取付けた際には、筒部材５０の下流側の開口がノズル１Ａの流出口１５として構成される。
【００４２】
このようにノズル１Ａに筒部材５０を取付けた際には、ノズル１Ａの空気導入部１３における空気の入口の開口から、ノズル１Ａの流出口１５を遠ざける構成となる。このため、ノズル１Ａが筒部材５０を具備する構成とすることにより、気泡混入水が、前記ノズル１Ａの流出口１５から飛散って空気導入部１３における空気の入口の開口に流入し、当該空気導入部１３が詰まることを抑制することができる。
【００４３】
また、ノズル１Ａに取付けた筒部材５０の下流側端部に、シリコンチューブ７０や筒状の部材の一端の開口部にブラシが設けられて構成されるブラシ部材７１等を取付けて（図４参照）、洗浄対象物に当該ブラシやシリコンチューブ等を当接させながら当該洗浄対象物を洗浄してもよい。また、ノズル１Ａは、洗浄対象物を配置するための容器を筒部材５０内と当該容器内とが連通するように筒部材５０の下流側端部に設け、当該容器内に気泡混入水を直接流出するように構成してもよい。
【００４４】
なお、ノズル１Ａの回転体４０によって絞り孔３２の上流側の開口３２ａを閉鎖する状態とは、絞り孔３２の上流側の開口３２ａと回転体４０との間に若干の隙間が生じて、絞り孔３２の上流側の開口３２ａへの水の流入が少なくなるような状態も含むものとする。
【００４５】
また、ノズル１Ａの回転体回転手段１７は、回転体配置部１６に流入した水流が螺旋状の流水となるような、本体部材３０の軸方向に対して傾斜した溝を、本体部材３０における上流側部３０ｂ内の面に形成して構成してもよい。
【００４６】
また、ノズル１Ａは、図５に示すように、本体部材３０における底部３０ａに凹部３１を形成せず、断続的遮断手段１４を六面体で構成される回転体６０としてもよい。この場合、底部３０ａは、例えば外周側から中心側へ向かうに従って下流側へ傾斜する面に形成される。このようなノズル１Ａでは、その回転体６０は、その側方の面で前記螺旋状の水流を受けることによって回転し、当該転体の下流側の面で、本体部材３０における底部３０ａの上流側面に形成された絞り孔３２の上流側の開口３２ａの閉鎖と開放とをおこなう。
【００４７】
また、ノズル１Ａの本体部材３０が複数個の絞り孔３２・３２・・・を有する構成とし、当該複数個の絞り孔３２・３２・・・で絞り部１２を構成してもよい。例えば、図６乃至８に示すように、ノズル１Ａの本体部材３０の絞り孔３２は凹部３１内に三つ形成され、当該三つの絞り孔３２・３２・３２で絞り部１２が構成される。ノズル１Ａの本体部材３０の絞り孔３２・３２・３２は、周方向に６０度ずつ位相をずらしてそれぞれ形成される。ノズル１Ａの本体部材３０の絞り孔３２・３２・３２におけるそれぞれの下流側の開口３２ｂ・３２ｂ・３２ｂは、当該絞り孔３２・３２・３２におけるそれぞれの下流側の開口３２ｂ・３２ｂ・３２ｂから流出する三本の水の水流が一本の水流となるような位置にそれぞれ形成される。
【００４８】
そしてこのようなノズル１Ａでは、回転体４０は、これが回転してその棒状部分の他端部４０ｂが一つの絞り孔３２の上流側の開口３２ａ上に位置したときに、当該棒状部分の下端部で当該一つの絞り孔３２の上流側の開口３２ａを閉鎖し、これがさらに回転して前記一つの絞り孔３２の上流側の開口３２ａを通過したときに、当該一つの絞り孔３２の上流側の開口３２ａを開放する。さらに、回転体４０は、前記一つの絞り孔３２の回転体４０の回転方向側に隣接する絞り孔３２の方に回転していき、当該隣接する絞り孔３２においても同様に、絞り孔３２の上流側の開口３２ａの閉鎖と開放とをおこなう。
【００４９】
このように、ノズル１Ａでは、その回転体４０が回転することによって、当該回転体４０の棒状部分の下端部で、三つの（複数の）絞り孔３２・３２・３２のうち少なくとも一つの絞り孔３２の上流側の開口３２ａの閉鎖と開放とを順次おこなっていき、回転体配置部１６から前記少なくとも一つの絞り孔３２への水の流入を断続的に遮断する。そして、さらに回転体４０が回転することによって、前記閉鎖と開放とをおこなった絞り孔３２に隣接する絞り孔３２の上流側の開口３２ａの閉鎖と開放とを順次おこなっていき、回転体配置部１６から前記隣接する絞り孔３２への水の流入を断続的に遮断する。そしてこのようにして、ノズル１Ａは、少なくとも一つの絞り孔３２への水の流入を断続的に遮断して、絞り孔３２・３２・３２（絞り部１２）の下流側の開口３２ｂ・３２ｂ・３２ｂから流出する水の流量を断続的に変化させ、ノズル１Ａの流出口１５から流出する空気混入水の流量も断続的に変化させて、その流出口１５から脈動するような気泡混入水を流出する。
【００５０】
またこのとき、ノズル１Ａでは、本体部材３０における絞り孔３２・３２・３２への水の流入が回転体４０によって遮断されない状態では、絞り孔３２・３２・３２におけるそれぞれの下流側の開口３２ｂ・３２ｂ・３２ｂから水が流出する（三本の水が流出する）。また、ノズル１Ａでは、本体部材３０における一つの絞り孔３２への水の流入が回転体４０によって遮断された状態では、他の二つの絞り孔３２・３２におけるそれぞれの下流側の開口３２ｂ・３２ｂから水が流出する（二本の水が流出する）。このようにして、ノズル１Ａでは、本体部材３０における複数の絞り孔３２・３２・・・のうち一つの絞り孔３２への水の流入が回転体４０によって遮断された状態であっても、他の絞り孔３２・３２・・・から流出する水を気泡混合水として、これを流出口１５から流出することができる。したがって、ノズル１Ａによれば、脈動するような気泡混入水をその流出口１５から途切れないように流出させて、その洗浄効果をより向上させることができる。なお、ノズル１Ａでは、本体部材３０における絞り孔３２・３２・３２の水の流入が回転体４０によって遮断されない状態では、下流側の開口３２ｂ・３２ｂ・３２ｂから流出した三本の水の水流は一本の水流となり、流出口１５からも一本の水流の気泡混入水が流出する。また、ノズル１Ａでは、本体部材３０における一つの絞り孔３２への水の流入が回転体４０によって遮断された状態では、他の二つの絞り孔３２・３２におけるそれぞれの下流側の開口３２ｂ・３２ｂから流出した二本の水の水流となり、流出口１５からも一本の水流の気泡混入水が流出する。
【００５１】
ノズル１Ａでは、本体部材３０における複数の絞り孔３２・３２・・・の下流側の開口３２ｂ・３２ｂ・・・から流出する複数の水流が、本体部材３０の中心側にそれぞれ近づくように本体部材３０の軸方向に対して斜めに流出するように構成してもよい。例えば図９（ａ）に示すように、ノズル１Ａの本体部材３０における底部３０ａの下流側の面に、その中央部から下流側方向に突出する山状の凸部を形成し、当該凸部の斜面に３つの（複数の）絞り孔３２・３２・３２の下流側の開口３２ｂ・３２ｂ・３２ｂをそれぞれ形成してもよい。また図９（ｂ）に示すように、ノズル１Ａの本体部材３０の三つの（複数の）絞り孔３２・３２・３２は、絞り孔３２・３２・３２の上流側の開口３２ａ・３２ａ・３２ａから下流側の開口３２ｂ・３２ｂ・３２ｂに向かって本体部材３０の中心側に近づくように本体部材３０の軸方向に対して傾斜してそれぞれ形成してもよい。このように、ノズル１Ａの本体部材３０における複数の絞り孔３２・３２・・・の下流側の開口３２ｂ・３２ｂ・・・から流出する複数の水流が、本体部材３０の中心側にそれぞれ近づくように本体部材３０の軸方向に対して斜めに流出する構成とすることにより、より確実に、脈動するような気泡混入水を途切れない一本の水流として、その洗浄効果をより向上させることができる。
【００５２】
次に、第二実施形態に係るノズル１Ｂについて、図１０から図１３を用いて説明する。なお、第二実施形態に係るノズル１Ｂは、第一実施形態に係るノズル１Ａと同様の構成を有する部分があるため、ノズル１Ｂの説明は、ノズル１Ａと同様の構成の部分については適宜省略し、ノズル１Ａの構成と異なる部分を中心に説明する。
【００５３】
ノズル１Ｂは、図１０乃至図１３に示すように、主に、接続部材２０、本体部材３０、回転体４０、および、筒部材５０等で構成される。
【００５４】
ノズル１Ｂの本体部材３０は、略有底筒状に形成される。ノズル１Ｂの本体部材３０は、その上流側端が開口し、その下流側端に底部３０ａが配置されたような形状に形成される。ノズル１Ｂの本体部材３０における側部は、その底部３０ａに比べて肉薄状に形成され
る。ノズル１Ｂの本体部材３０における上流側端部には、フランジ３６が形成される。ノズル１Ｂの本体部材３０におけるフランジ３６は、側方に突出するように形成される。ノズル１Ｂの本体部材３０は、３つの絞り孔３２・３２・３２を有する。
【００５５】
ノズル１Ｂの本体部材３０は、四つの切欠き３７・３７・・・を有する。ノズル１Ｂの本体部材３０における切欠き３７・３７・・・は、周方向に９０度ずつ位相をずらすようにして、それぞれ形成される。ノズル１Ｂの本体部材３０における切欠き３７・３７・・・は、フランジ３６を含む外周面の一部が、上端部から下端部に亘って水の流入方向に沿って切欠かれるように形成される。
【００５６】
ノズル１Ｂの筒部材５０は、その上流側端および下流側端がそれぞれ開口するような筒状に構成される。ノズル１Ｂの筒部材５０における下流側の開口は、ノズル１Ｂの流出口１５として構成される。ノズル１Ｂの筒部材５０は、その上流側部３０ｂの内径が本体部材３０におけるフランジ３６を除く部分の外径と略同一に形成されて、当該上流側部３０ｂ内に本体部材３０におけるフランジ３６を除く部分を嵌挿可能に構成される。
【００５７】
そして、ノズル１Ｂの筒部材５０内に、筒部材５０の上流側端の開口から本体部材３０におけるフランジ３６を除く部分を嵌挿する。このとき、ノズル１Ｂの筒部材５０における上流側端部が本体部材３０におけるフランジ３６に当接するまで、本体部材３０におけるフランジ３６を除く部分を筒部材５０内に嵌挿する。
【００５８】
このように、ノズル１Ｂの筒部材５０内に本体部材３０におけるフランジ３６を除く部分が嵌挿されることによって、筒部材５０の内周面と本体部材３０の切欠き３７が形成されていない部分の外周面とは当接または近接するが、筒部材５０の内周面と本体部材３０の切欠き３７が形成された部分の外周面との間には空間が形成される。この本体部材３０における切欠き３７と筒部材５０の内側の面とで形成される空間で、空気導入部１３が構成される。ノズル１Ｂの本体部材３０における切欠き３７の上端の開口が、空気導入部１３における空気の入口の開口として構成される。ノズル１Ｂの本体部材３０における切欠き３７の下端の開口が、空気導入部１３における空気の出口の開口として構成される。
【００５９】
このように、ノズル１Ｂによれば、本体部材３０における切欠き３７と筒部材５０の内側の面とで形成される空間で空気導入部１３を構成することにより、その幅を細く構成して小型化することができる。
【００６０】
また、ノズル１Ｂの内側（上流側と下流側との中途部の内側）は、筒部材５０が本体部材に取付けられた状態において、本体部材３０における切欠き３７・３７・・・の下端側の開口（空気導入部１３における空気の出口の開口）近傍から下流側にいくに従って、本体部材３０の絞り孔３２側に近づくようなテーパ状に形成される。このため、空気導入部１３における空気の出口の開口から流出する空気は、前記筒部材５０の内側のテーパ状の部分によって本体部材３０における絞り孔３２の下流側の開口３２ｂ側に案内され、当該絞り孔３２の下流側の開口３２ｂから流出した水に、容易に吸引されることとなる。このため、ノズル１Ｂでは、本体部材３０における絞り孔３２の下流側の開口３２ｂから流出する水に確実に気泡を混入させ、これを気泡混入水とすることができる。
【符号の説明】
【００６１】
１Ａ  ノズル
１Ｂ  ノズル
１１  流入部
１２  絞り部
１３  空気導入部
１４  断続的遮断手段
１６  回転体配置室
１７  回転体回転手段
２０  接続部材
３０  本体部材
４０  回転体
５０  筒部材
【図１】
2015134357.tif 000003
【図２】
2015134357.tif 000004
【図３】
2015134357.tif 000005
【図４】
2015134357.tif 000006
【図５】
2015134357.tif 000007
【図６】
2015134357.tif 000008
【図７】
2015134357.tif 000009
【図８】
2015134357.tif 000010
【図９】
2015134357.tif 000011
【図１０】
2015134357.tif 000012
【図１１】
2015134357.tif 000013
【図１２】
2015134357.tif 000014
【図１３】
2015134357.tif 000015